(57)【要約】【課題】従来の技術とは異なるアプローチにより、記録容量の大容量化を図ることを可能にする。【解決手段】２波長２光子吸収を生じさせる所定の周波数の光にのみ吸収を持つ材料を含有して構成される導光性線状媒体の一方の端部から、上記所定の周波数を分割した一方の周波数のパルスレーザー光を入射し、上記導光性線状媒体の他方の端部から、上記所定の周波数を分割した他方の周波数のパルスレーザー光を入射し、上記導光性線状媒体における上記一方の周波数のパルスレーザー光のパルスと上記他方の周波数のパルスレーザー光のパルスとが出会った位置でのみ光吸収を起こすようにした。【選択図】        図３
2006277845.tif 000002
【特許請求の範囲】
【請求項１】
２波長２光子吸収を生じさせる所定の周波数の光にのみ吸収を持つ材料を含有して構成される導光性線状媒体の一方の端部から、前記所定の周波数を分割した一方の周波数のパルスレーザー光を入射し、前記導光性線状媒体の他方の端部から、前記所定の周波数を分割した他方の周波数のパルスレーザー光を入射し、前記導光性線状媒体における前記一方の周波数のパルスレーザー光のパルスと前記他方の周波数のパルスレーザー光のパルスとが出会った位置でのみ光吸収を起こす
ことを特徴とする導光性線状媒体への情報の記録方法。
【請求項２】
請求項１に記載の導光性線状媒体への情報の記録方法において、
前記所定の周波数を分割した前記一方の周波数と前記他方の周波数とは一致しない
ことを特徴とする導光性線状媒体への情報の記録方法。
【請求項３】
請求項１または２のいずれか１項に記載の導光性線状媒体への情報の記録方法において、
前記導光性線状媒体は、光ファイバーである
ことを特徴とする導光性線状媒体への情報の記録方法。
【請求項４】
請求項３に記載の導光性線状媒体への情報の記録方法において、
前記光ファイバーは、スピロピラン系またはアゾ系のフォトクロミック色素をガラスまたはポリマーにドープした光ファイバーである
ことを特徴とする導光性線状媒体への情報の記録方法。
【請求項５】
請求項１、２、３または４のいずれか１項に記載の導光性線状媒体への情報の記録方法により情報を記録した導光性線状媒体を、任意の３次元形状に配置した
ことを特徴とする光メモリ素子。
【請求項６】
請求項５に記載の光メモリ素子において、
前記導光性線状媒体は、複数よりなる
ことを特徴とする光メモリ素子。
【発明の詳細な説明】
【技術分野】
【０００１】
本発明は、導光性線状媒体への情報の記録方法および光メモリ素子に関し、さらに詳細には、光を用いて情報を記録するようにした導光性線状媒体への情報の記録方法およびそれを用いた光メモリ素子に関する。
【背景技術】
【０００２】
近年、情報機器や通信手段の発達により取り扱われる情報量は飛躍的に増加しており、それにともなって情報の記録・保存を行うための情報記録媒体に対しても、記録容量の大容量化や情報記録密度の高密度化の要求が高まってきている。
【０００３】
ここで、ビット単価が安く、かつ、記録容量が大容量の情報記録媒体として、従来より磁気テープや光ディスクが利用されている。また、近年においては、ランダムアクセス性とメディア交換の簡便さの故に、光ディスク、特に、ＣＤ−ＲやＤＶＤ−Ｒといった追記型光ディスクが盛んに利用されるようになってきている。
【０００４】
ところが、これらの光ディスクは、情報は直径約１２ｃｍのディスク１枚に対して１層しか記録できないものがほとんどであり、ディスクの面積がそのままトータルの記録容量を決定してしまうものであった。そして、ディスクの面積がそのままトータルの記録容量を決定してしまう光ディスクにおいては、記録容量の大容量化を図るにもその限界が見えているという問題点があった。
【０００５】
こうした問題点に鑑みて、例えば、２次元平面にのみ情報を記録するのではなく、次元を１つ上げて３次元空間に情報を記録する技術の開発が提唱されている。こうした３次元空間に情報を記録する技術の１つとして、情報を１枚のディスク内に多層に記録する３次元多層光メモリなどが開発されている。
【０００６】
しかしながら、上記した３次元多層光メモリにおいて、情報を３次元空間内に高精度に多層に記録するには、ディスクそのものの加工を極めて高い精度で管理しなければならないという問題点があるとともに、情報の記録、再生時のディスクの撓みや振動などの機械的な形状変化や、あるいは熱膨張、湿度変化などに伴う屈折率変化といった材料の特性変化などの擾乱も、高い精度で補正しなければならないという問題点があった。
【０００７】
なお、本願出願人が特許出願のときに知っている先行技術は、文献公知発明に係る発明ではないため、記載すべき先行技術文献情報はない。
【発明の開示】
【発明が解決しようとする課題】
【０００８】
本発明は、従来の技術の有する上記したような種々の問題点に鑑みてなされたものであり、その目的とするところは、従来の技術とは異なるアプローチにより、記録容量の大容量化を図ることを可能にした導光性線状媒体への情報の記録方法および光メモリ素子を提供しようとするものである。
【課題を解決するための手段】
【０００９】
上記目的を達成するために、本発明による導光性線状媒体への情報の記録方法は、光ファイバーなどの導光性線状媒体の内部にシリアルに情報を記録するようにしたものである。
【００１０】
また、本発明による光メモリ素子は、本発明による導光性線状媒体への情報の記録方法により情報を記録された導光性線状媒体を、任意の形状で３次元空間内に詰め込むようにしたものである。
【００１１】
即ち、本発明は、導光性線状媒体として、例えば、光ファイバー内部に１次元のライン状に情報を記録するようにしたものであり、また、本発明は、それを３次元空間内に適宜に配置することで、情報そのものは３次元空間中に均一に分散させながらも、その記録形態そのものはアクセスのし易い１次元空間に整列させて記録することができるようにしたものである。導光性線状媒体として、例えば、光ファイバー内部に１次元のライン状に記録された情報は、当該光ファイバーの端面から光を入射して蛍光を観察することにより読み出される。
【００１２】
本願発明者は、本発明によるこうした従来の技術とは全く異なる全く新しいタイプの光メモリ素子を、「３次元光ファイバーメモリ」と称することを提唱する。
【００１３】
なお、情報を１次元のライン状に記録すること自体は新規な技術ではなく、現状の光ディスクにおいても、情報はトラックと称される螺旋状（もしくは同心円状）のライン上に記録されている。しかしながら、現状の光ディスクにおいては、ディスク上のある特定の領域に情報を記録したり、あるいは、そこから情報を再生するためには、何らかの機械的手段によって光（通常はレーザー光である。）が所望の場所に照射されるように導く必要がある。これに対し、本発明によれば光ファイバーなどの導光性線状媒体を用いており、この導光性線状媒体に情報を記録しているため、導光性線状媒体の端面から光を入射するだけで、光は導光性線状媒体から漏れることなく導波し、光が情報を記録された地点に到達して当該情報の読み出しが行われる点が、現状の光ディスクとは異なる。
【００１４】
即ち、本発明のうち請求項１に記載の発明は、２波長２光子吸収を生じさせる所定の周波数の光にのみ吸収を持つ材料を含有して構成される導光性線状媒体の一方の端部から、上記所定の周波数を分割した一方の周波数のパルスレーザー光を入射し、上記導光性線状媒体の他方の端部から、上記所定の周波数を分割した他方の周波数のパルスレーザー光を入射し、上記導光性線状媒体における上記一方の周波数のパルスレーザー光のパルスと上記他方の周波数のパルスレーザー光のパルスとが出会った位置でのみ光吸収を起こすようにしたものである。
【００１５】
また、本発明のうち請求項２に記載の発明は、本発明のうち請求項１に記載の発明において、上記所定の周波数を分割した上記一方の周波数と上記他方の周波数とは一致しないようにしたものである。
【００１６】
また、本発明のうち請求項３に記載の発明は、本発明のうち請求項１または２のいずれか１項に記載の発明において、上記導光性線状媒体は、光ファイバーであるようにしたものである。
【００１７】
また、本発明のうち請求項４に記載の発明は、本発明のうち請求項３に記載の発明において、上記光ファイバーは、スピロピラン系またはアゾ系のフォトクロミック色素をガラスまたはポリマーにドープした光ファイバーであるようにしたものである。
【００１８】
また、本発明のうち請求項５に記載の発明は、本発明のうち請求項１、２、３または４のいずれか１項に記載の発明により情報を記録した導光性線状媒体を、任意の３次元形状に配置したものである。
【００１９】
また、本発明のうち請求項６に記載の発明は、本発明のうち請求項５に記載の発明において、上記導光性線状媒体は、複数よりなるようにしたものである。
【発明の効果】
【００２０】
本発明は、以上説明したように構成されているので、従来とは異なるアプローチにより記録容量の大容量化を図った導光性線状媒体への情報の記録方法および光メモリ素子を提供することができるという優れた効果を奏する。
【発明を実施するための最良の形態】
【００２１】
以下、添付の図面を参照しながら、本発明による導光性線状媒体への情報の記録方法および光メモリ素子の実施の形態の一例を詳細に説明する。
【００２２】
まず、本発明による導光性線状媒体への情報の記録方法について説明すると、この本発明による導光性線状媒体への情報の記録方法においては、図１に示すように、両端に位置する一方の端部たる第１端部１０ａと他方の端部たる第２端部１０ｂとからそれぞれ光を入射可能であって、第１端部１０ａから入射された光を外部へ漏らすことなく第２端部１０ｂへ導光するとともに、第２端部１０ｂから入射された光を外部へ漏らすことなく第１端部１０ａへ導光する、例えば、可撓性のロッド状の導光性線状媒体１０を用いる。
【００２３】
また、この導光性線状媒体１０は、少なくとも、２波長２光子吸収を生じさせる所定の周波数の光にのみ吸収を持つ材料を含有して構成されている。
【００２４】
なお、こうした導光性線状媒体１０は、例えば、ファインセラミックを用いて形成された光ファイバーなどを用いて構成することができる。
【００２５】
こうした導光性線状媒体１０の第１端部１０ａから光を入射すると、光は導光性線状媒体１０内部を導波した後に第２端部１０ｂから出射され、また、導光性線状媒体１０の第２端部１０ｂから光を入射すると、光は導光性線状媒体１０内部を導波した後に第１端部１０ａから出射される。
【００２６】
ここで、導光性線状媒体１０が、仮に導光性線状媒体１０へ入射される光に感光する光感光性材料で形成されていたとすると、光が導波した導光性線状媒体１０の全域にわたって感光が起こり、導光性線状媒体１０の特定の場所のみで光と感光性材料とを相互作用させることはできない。
【００２７】
ところで、従来より２波長２光子吸収という現象が知られているが、この２波長２光子吸収とは、ある物質がｆ１とｆ２という２つの振動数を持つ光子を同時に２つ吸収し、その２つの振動数の和に相当するｆ１＋ｆ２（なお、「ｆ１＋ｆ２＝ｆ０」とする。）の光吸収に相当する光吸収を起こすという現象である。
【００２８】
上記したように、この導光性線状媒体１０は、２波長２光子吸収を生じさせる特定の周波数（上記の例におけるｆ０である。）の光にのみ吸収を持つ材料を含有しているので、上記した２波長２光子吸収の現象により、当該材料は当該特定の周波数の光以外の光（例えば、上記の例におけるｆ１やｆ２である。）は吸収しないが、この２つの周波数の光が同時に存在した瞬間だけ光吸収を起こすことになる。
【００２９】
そこで、図１に示すように、導光性線状媒体１０の端部１０ａから周波数ｆ１のパルスレーザー光を入射し、導光性線状媒体１０の端部１０ｂから周波数ｆ２のパルスレーザー光を入射すると、導光性線状媒体１０におけるそれぞれのパルスが出会った位置Ａでのみ光吸収が起こることになる。
【００３０】
このため、導光性線状媒体１０の端部１０ａと端部１０ｂとにそれぞれ入射するパルスレーザー光のパルスの時間的なタイミングを適当にずらすことにより、例えば、図２に示すように、導光性線状媒体１０における光吸収の起こる位置Ｂ、Ｃ、Ｄを任意に変化させるように制御（走査）することが可能となる。
【００３１】
また、導光性線状媒体１０の端部１０ａと端部１０ｂとにそれぞれ入射したパルスレーザー光が入射側の端部とは反対側の端部から出射した後に、再び導光性線状媒体１０の端部１０ａと端部１０ｂとにそれぞれ入射するという上記した処理を繰り返すことにより、例えば、図２に示すように、同一の導光性線状媒体１０上に複数の光吸収の起こる位置Ｂ、Ｃ、Ｄを形成することができる。
【００３２】
上記のようにして、導光性線状媒体１０の任意の位置に光吸収を起こさせ、当該任意の位置に屈折率変化などの改質された局所的な領域（以下、「ビット」と適宜に称する。）を形成する。そして、情報の記録は導光性線状媒体１０にビットを形成することにより行われ、従って、導光性線状媒体１０においては、１次元のライン状に情報を記録することができる。
【００３３】
例えば、導光性線状媒体１０へ入射するパルスレーザー光の光源として、パルス幅１０フェムト秒のパルスレーザーを用いるものとし、導光性線状媒体１０の端部１０ａと端部１０ｂとから当該パルスレーザーにより発生されたパルスレーザー光を入射する場合について検討する。
【００３４】
ここで、説明の簡略化のために導光性線状媒体１０の屈折率を無視すると、１０フェムト秒の間に光は３μｍ進むので、導光性線状媒体１０の双方の端部１０ａ、１０ｂから１０フェムト秒のパルスが伝播してそれらがぶつかり合うと、約６μｍ幅の干渉領域が形成され、この領域内でのみ２光子吸収が起こる。
【００３５】
つまり、導光性線状媒体１０内部に、約６μｍ幅の領域たるビットを局所的に形成することにより、情報の記録が行われることになる。
【００３６】
以下に、導光性線状媒体１０の材料や、導光性線状媒体１０へ入射するパルスレーザー光の波長、パルス幅などの具体例について説明する。
【００３７】
まず、導光性線状媒体１０の材料としては、スピロピラン系やアゾ系のフォトクロミック色素をガラスもしくはポリマーにドープした光ファイバーなどを用いることができる。
【００３８】
また、導光性線状媒体１０へ入射する光の波長としては、例えば、チタンサファイアレーザーの代表的な発振波長である８００ｎｍの２光子吸収に相当する波長は４００ｎｍであり、この波長４００ｎｍの周波数を導光性線状媒体１０の端部１０ａに入射する周波数ｆ１と導光性線状媒体１０の端部１０ｂに入射する周波数ｆ２とに分割すればよい。波長を分割する際の計算式は、以下の通りである。
【００３９】
波長４００ｎｍ（波長４００ｎｍの周波数をｆ０とする。）は、  ｆ＝ｃ／λ（ｆ：周波数、ｃ：光速、λ：波長）より、
ｆ０＝（３．０×１０８）／（４００×１０−９）＝７５０ＴＨｚ
ｆ０＝ｆ１＋ｆ２になるように分割すればよいので、例えば、
ｆ１＝５００ＴＨｚ
ｆ２＝２５０ＴＨｚ
とすればよい。これらを再度波長に換算し直すと、ｆ１の波長をλ１、ｆ２の波長をλ２とすると、
λ１＝ｃ／ｆ１＝６００ｎｍ
λ２＝ｃ／ｆ２＝１２００ｎｍ
となる。
【００４０】
なお、上記は単なる一例に過ぎず、要は、導光性線状媒体１０に２波長２光子吸収を生じさせる特定の周波数たる基本波の周波数ｆ０を決め、それに対して
ｆ０＝ｆ１＋ｆ２
になる組合せであれば、いずれの組合せでもよい。
【００４１】
また、導光性線状媒体１０へ入射する光のパルス幅は、例えば、約１０ｆｓｅｃ程度である。
【００４２】
次に、導光性線状媒体１０の長さと、導光性線状媒体１０へ入射するパルスレーザー光のパルス幅、導光性線状媒体１０へ入射するパルスレーザー光の繰り返し周波数から決まる記録密度と転送レートに関する計算例を示すと、以下の通りである。
【００４３】
即ち、真空中の光速は、３×１０８ｍ／ｓである。ここで、導光性線状媒体１０の屈折率を無視してこれを１．０とすると、光速から、１０ｆｓｅｃの時間は３μｍの光の伝搬長に相当する。
【００４４】
例えば、１０ｆｓｅｃのパルス幅を持つパルスレーザー光を、導光性線状媒体１０の両方の端部１０ａ、１０ｂから入射すると、互いの光パルスがオーバーラップしている時間は２０ｆｓｅｃであり、オーバーラップしている距離は６μｍとなる。これが、パルス幅と記録密度との関係である。
【００４５】
次に、導光性線状媒体１０の長さをＬ（ｍ）とすると、この導光性線状媒体１０内を光パルスが通り抜けるのに要する時間は、
Ｌ／（３．０×１０８）  ｓｅｃ
となる。例えば、Ｌ＝３ｍとすると、１０−８秒かかることになる。
【００４６】
ここで、入射させた光パルスが導光性線状媒体１０内を通り抜けるまでは、次のパルスレーザー光を導光性線状媒体１０内へ入射することはできないので、これが情報の転送レートを支配し、例えば、Ｌ＝３ｍの場合であれば、１０−８秒の逆数で、結局１０８Ｈｚ＝１００ＭＨｚとなる。また、一般的には、（３．０×１０８）／Ｌ  Ｈｚである。
【００４７】
従って、導光性線状媒体１０の長さが長くなればなるほど転送レートは低下することになるので、長い導光性線状媒体１０を１本使用するよりも、短い導光性線状媒体１０を複数本用いる方が転送レートを向上することができる。
【００４８】
なお、上記した説明においては、媒質の屈折率を無視して１．０としたが、媒質の屈折率を考慮して屈折率をｎとするときは，この媒質中での光速を１／ｎ、つまり、
３．０×１０８／ｎ（ｍ／ｓ）
として計算すればよい。
【００４９】
例えば、１０ｆｓｅｃのレーザーパルスで記録される媒質の長さ（２つのパルスのオーバーラップ領域）は、６／ｎμｍとなり、また長さＬのファイバーを用いた場合の転送レートは、
（３．０×１０８）／（ｎ×Ｌ）（Ｈｚ）
となる。
【００５０】
また、上記のようにして導光性線状媒体１０に記録した情報を読み出しは、導光性線状媒体１０の端部１０ａと端部１０ｂとの双方または一方からパルスレーザー光を入射して、導光性線状媒体１０におけるビット、即ち、情報を記録した領域との相互作用による蛍光などを検出することにより行えばよい。
【００５１】
なお、導光性線状媒体１０における２光子吸収が起こる領域、即ち、記録位置の走査は、Ｑスイッチ法を用いたレーザー発振の制御や、パルスピッカーを用いたパルスレーザー光の間引き、あるいはオプティカルディレイを用いた時間的遅延などの手法を用いて、双方のパルスの時間的なタイミングをずらすことで、ファイバー内で両方のパルスが出会う位置を変えることで行えばよい。
【００５２】
次に、本発明による光メモリ素子について説明すると、本発明による光メモリ素子は、上記した本発明による導光性線状媒体への情報の記録方法（以下、「本発明方法」と適宜に称する。）により情報を記録された導光性線状媒体１０を、任意の３次元形状に配置することにより構成される。
【００５３】
即ち、図３には、本発明による光メモリ素子の実施の形態の一例が示されており、この本発明による光メモリ素子１００は、本発明方法により情報を記録された導光性線状媒体１０を任意の３次元形状に屈曲させたものである。なお、導光性線状媒体１０は、可撓性材料により構成されているものとする。なお、導光性線状媒体１０を３次元形状に屈曲させる際には、適当の法則性をもって屈曲させてもよいし、図３に示すようにランダムに屈曲させてもよい。
【００５４】
この光メモリ素子１００は、１本の導光性線状媒体１０を任意の３次元形状に屈曲させて構成されているが、複数本の導光性線状媒体１０を任意の３次元形状に屈曲させて構成するようにしてもよいことは勿論である。
【００５５】
また、図４には、本発明による光メモリ素子の実施の形態の他の例が示されており、この本発明による光メモリ素子２００は、上記した光メモリ素子１００をケース２０２内に収納したものである。
【００５６】
さらに、図５には、本発明による光メモリ素子の実施の形態の他の例が示されており、この本発明による光メモリ素子３００は、複数本の導光性線状媒体１０を直線状に延長して同一平面上に並列に整列配置した層を所望の層数分積層してケース３０２内に収納したものである。
【００５７】
さらにまた、図６には、本発明による光メモリ素子の実施の形態の他の例が示されており、この本発明による光メモリ素子４００は、複数本の導光性線状媒体１０を束ねてリボン状形状を作製し、それを螺旋状に巻き込んだものである。
【００５８】
また、図７には、本発明による光メモリ素子の実施の形態の他の例が示されており、この本発明による光メモリ素子５００は、１本の導光性線状媒体１０を螺旋状に巻き込んだものである。なお、本実施の形態による光メモリ素子５００の配置は、２次元的ではあるが、本発明による光メモリ素子の実施の形態の一例として入ることは勿論である。
【００５９】
なお、本発明による光メモリ素子として、光メモリ素子３００、４００のように複数本の導光性線状媒体１０を用いる場合において、所望の導光性線状媒体１０に光を導入するには、光通信において複数本の光ファイバーに光をカップリングさせる際に用いられている光スイッチや光導波路素子（例えば、「ＡＰＰＬＩＥＤ  ＯＰＴＩＣＳ／Ｖｏｌ．１７，  Ｎｏ．８／１５  Ａｐｒｉｌ  １９７８」、「Ｊａｐａｎｅｓｅ  Ｊｏｕｒｎａｌ  ｏｆ  Ａｐｐｌｉｅｄ  Ｐｈｙｓｉｃｓ，  Ｖｏｌ．４３，  Ｎｏ．８Ｂ，  ２００４，  ｐｐ．５８２４−５８２７」などを参照する。）などを利用することができる。
【００６０】
ここで、所定の周波数を分割した光パルス、つまり、所定の周波数ｆ０を分割した周波数ｆ１と周波数ｆ２とを持つパルス光の生成方法には、例えば、以下のような手法がある。
【００６１】
即ち、パルス光の生成には、例えば、光パラメトリック増幅器（ＯＰＡ：Ｏｐｔｉｃａｌ  Ｐａｒａｍｅｔｒｉｃ  Ａｍｐｌｉｆｉｅｒ）を用いて、ｆ０の周波数を持つ１つのレーザーからｆ１とｆ２との両方のパルス光を作り出しても良いし、別々の周波数を持つ２台のレーザーを用いてそれぞれｆ１とｆ２との周波数のパルス光を発生してもよい。
【００６２】
なお、別々の周波数を持つ２台のレーザーを用いてそれぞれｆ１とｆ２との周波数のパルス光を発生する場合には、正確に
ｆ０ ＝ｆ１＋ｆ２
となるように周波数を合わせることは困難であり、また、本来別々のレーザー共振器から出射された２つのパルスの位相を揃えることも難しいため、実用上は光パラメトリック増幅器を用いてｆ１とｆ２との周波数のパルス光を得る方が有効である。
【００６３】
なお、上記した実施の形態は、以下の（１）乃至（５）に示すように変形することができるものである。
【００６４】
（１）上記した実施の形態においては、導光性線状媒体１０が２波長２光子吸収を生じさせる特定の周波数の光にのみ吸収を持つ材料を含有して構成されているものとしたが、本明細書において、「導光性線状媒体１０が２波長２光子吸収を生じさせる特定の周波数の光にのみ吸収を持つ材料を含有して構成されている」の意味は、「導光性線状媒体１０を構成する全材料の一部として、導光性線状媒体１０が２波長２光子吸収を生じさせる特定の周波数の光にのみ吸収を持つ材料を含む。」ことを意味することの他、「導光性線状媒体１０が２波長２光子吸収を生じさせる特定の周波数の光にのみ吸収を持つ材料のみにより構成されている。」ことも意味するものとする。
【００６５】
（２）上記した実施の形態においては、導光性線状媒体１０を被覆するカバーなどについての説明は省略したが、導光性線状媒体１０の外周に、導光性線状媒体１０を外部環境から遮蔽するためのカバーを設けてもよいことは勿論である。
【００６６】
（３）上記した実施の形態においては、導光性線状媒体１０が２波長２光子吸収を生じる特定の周波数を分割する際に、分割された周波数が一致しない場合（ｆ１≠ｆ２）について説明したが、これに限られるものではないことは勿論であり、分割された周波数が一致するようにしてもよい。
【００６７】
ただし、分割された周波数が一致するようにした場合には、光が導波した導光性線状媒体１０の全域にわたって光吸収が起こる恐れがあるため、光を入射する際に制御を厳密に行う必要があるので、分割された周波数が一致することのないようした方が好ましい。
【００６８】
（４）上記した実施の形態においては、導光性線状媒体１０の端部１０ａと端部１０ｂとにそれぞれ入射される光のパルス幅を同一としたが、これに限られるものではないことは勿論であり、導光性線状媒体１０の端部１０ａと端部１０ｂとにそれぞれ入射される光のパルス幅は同一でなくてもよい。
【００６９】
（５）上記した実施の形態ならびに上記した（１）乃至（４）に示す変形例は、適宜に組み合わせるようにしてもよい。
【産業上の利用可能性】
【００７０】
本発明は、コンピュータプログラム、音楽あるいは映像などの各種の情報の記録媒体として利用されるものである。
【図面の簡単な説明】
【００７１】
【図１】図１は、本発明による導光性線状媒体への情報の記録方法において用いる導光性線状媒体の概念構成説明図である。
【図２】図２は、導光性線状媒体における光吸収の起こる位置を示す説明図である。
【図３】図３は、本発明による光メモリ素子の実施の形態の一例を示す概念構成説明図である。
【図４】図４は、本発明による光メモリ素子の実施の形態の他の例を示す概念構成説明図である。
【図５】図５は、本発明による光メモリ素子の実施の形態の他の例を示す概念構成説明図である。
【図６】図６は、本発明による光メモリ素子の実施の形態の他の例を示す概念構成説明図である。
【図７】図７は、本発明による光メモリ素子の実施の形態の他の例を示す概念構成説明図である。
【符号の説明】
【００７２】
１０            導光性線状媒体
１０ａ            第１端部
１０ｂ            第２端部
１００、２００、３００、４００、５００      光メモリ素子
２０２、３０２      ケース
【図１】
2006277845.tif 000003
【図２】
2006277845.tif 000004
【図３】
2006277845.tif 000005
【図４】
2006277845.tif 000006
【図５】
2006277845.tif 000007
【図６】
2006277845.tif 000008
【図７】
2006277845.tif 000009